(57)【要約】【課題】人間工学的に適した握り方ができる卓球ラケットを提供する。【解決手段】卓球ラケットは、ブレード１及びグリップ２を備える。ブレード１には、長形状の接続部１１が延設される。グリップ２は、接続部１１の外側に接続される。接続部１１の両側に設けられた接続部外側辺１２ａ，１２ｂと、グリップ２の側辺とのなす角度を７５度〜１０５度にして構成された凹入部３ａ，３ｂが設けられている。凹入部３ａ，３ｂの接続部外側辺１２ａ，１２ｂと、グリップ２の側辺２１ａ，２１ｂとは、互いに垂直に設けられる。接続部１１の両側に設けられた接続部外側辺１２ａ，１２ｂは、直線状に延伸される。接続部外側辺１２ａ，１２ｂは、ブレード２に向かって窪んだ窪み部１３ａ，１３ｂを有する。接続部外側辺１２ａ，１２ｂの上端部及び下端部には、それぞれ弧状面１２１ａ，１２１ｂが円弧状に延設されている。【選択図】図２
0003168017.tif 000002
【実用新案登録請求の範囲】
【請求項１】
ブレード及びグリップを備える卓球ラケットであって、
前記ブレードには、長形状の接続部が延設され、
前記グリップは、前記接続部の外側に接続され、
前記接続部の両側に設けられた接続部外側辺と、前記グリップの側辺とのなす角度を７５度〜１０５度にして構成された凹入部が設けられていることを特徴とする卓球ラケット。
【請求項２】
前記凹入部の前記接続部外側辺と、前記グリップの前記側辺とは、互いに垂直に設けられることを特徴とする請求項１に記載の卓球ラケット。
【請求項３】
前記接続部の両側に設けられた前記接続部外側辺は、直線状に延伸されることを特徴とする請求項１に記載の卓球ラケット。
【請求項４】
前記接続部外側辺は、前記ブレードに向かって窪んだ窪み部を有することを特徴とする請求項１に記載の卓球ラケット。
【請求項５】
前記接続部外側辺の上端部及び下端部には、それぞれ弧状面が円弧状に延設されていることを特徴とする請求項１に記載の卓球ラケット。
【請求項６】
前記グリップ内側辺の上面及び底面には、前記ブレードに向かって延設された弧状当接部がそれぞれ設けられていることを特徴とする請求項１に記載の卓球ラケット。
【考案の詳細な説明】
【技術分野】
【０００１】
本考案は、卓球ラケットに関し、特に、人間工学的に適した握り方ができる卓球ラケットに関する。
【背景技術】
【０００２】
卓球は、細かいコントロールが要求されるスポーツであり、打球時のラケットの角度や力の入れ具合などが僅かに狂うだけでコントロールミスが発生することがある。そのため、打球の角度や力加減などを正確に制御してミスを防ぐために、卓球ラケットを精密に設計する必要がある。
【０００３】
図１を参照する。図１に示すように、従来の卓球ラケットは、少なくともブレードＡ及びグリップＢから構成される。一般にブレードＡは略楕円形状であり、グリップＢは棒状である。グリップＢは、ブレードＡの側辺に接続され、ブレードＡの側辺には、グリップＢの側辺と一体形成された円弧凸部Ａ１が設けられている。
【０００４】
しかし、従来の卓球ラケットは、人間工学的に好ましくなく、ユーザが安定的に強く握ることが困難であるため、ユーザの手で握る位置がずれて、打球するときのブレードＡの角度や打球の力などをコントロールすることが容易でなく、ミスが発生する虞がある。さらに、ユーザは、卓球ラケットを握るとき、ブレードＡの円弧凸部Ａ１が邪魔となり、自在に卓球ラケットのフォア面とバック面とを切り替えたり、卓球ラケットを振ったりすることが困難であるため、フォア面とバック面とを切り替えながら球を打つといった様々なテクニックをスムーズに行うことができない虞がある。
【考案の概要】
【考案が解決しようとする課題】
【０００５】
本考案の目的は、従来の卓球ラケットの欠点を解決することができる卓球ラケットを提供することにある。
【課題を解決するための手段】
【０００６】
上記課題を解決するために、本考案の第１の形態によれば、ブレード及びグリップを備える卓球ラケットであって、前記ブレードには、長形状の接続部が延設され、前記グリップは、前記接続部の外側に接続され、前記接続部の両側に設けられた接続部外側辺と、前記グリップの側辺とのなす角度を７５度〜１０５度にして構成された凹入部が設けられていることを特徴とする卓球ラケットが提供される。
【０００７】
前記凹入部の前記接続部外側辺と、前記グリップの前記側辺とは、互いに垂直に設けられることが好ましい。
【０００８】
前記接続部の両側に設けられた前記接続部外側辺は、直線状に延伸されることが好ましい。
【０００９】
前記接続部外側辺は、前記ブレードに向かって窪んだ窪み部を有することが好ましい。
【００１０】
前記接続部外側辺の上端部及び下端部には、それぞれ弧状面が円弧状に延設されていることが好ましい。
【００１１】
前記グリップ内側辺の上面及び底面には、前記ブレードに向かって延設された弧状当接部がそれぞれ設けられていることが好ましい。
【考案の効果】
【００１２】
本考案の卓球ラケットは、ユーザが卓球ラケットを握るとき、握る位置を卓球ラケットの中心点に近づけることにより、卓球ラケットを簡単かつ自在にコントロールすることができる上、打球する際、卓球ラケットの角度を短時間に調整することができるため、素早く打球することができる。また、ユーザが卓球ラケットを握るときの安定感及び快適さを大幅に向上させる上、打球の力を増大させることもできるため、フォア面とバック面とを切り替えて打球するなど、様々なテクニックを容易に用いることができる。
【図面の簡単な説明】
【００１３】
【図１】従来の卓球ラケットを示す平面図である。
【図２】本考案の第１実施形態による卓球ラケットを上方から見たときの状態を示す斜視図である。
【図３】本考案の第１実施形態による卓球ラケットを下方から見たときの状態を示す斜視図である。
【図４】本考案の第１実施形態による卓球ラケットを示す平面図である。
【図５】本考案の第２実施形態による卓球ラケットを示す平面図である。
【考案を実施するための形態】
【００１４】
以下、本考案の実施形態について図に基づいて説明する。なお、これによって本考案が限定されるものではない。
【００１５】
（第１実施形態）
図２〜図４を参照する。図２〜図４に示すように、本考案の第１実施形態による卓球ラケットは、少なくともブレード１及びグリップ２から構成される。ブレード１は、側部から延伸した長形状の接続部１１を有する。グリップ２は、棒状であり、ブレード１の接続部１１の外側に端部が接続される。接続部１１の両側に設けられた接続部外側辺１２ａ，１２ｂと、グリップ２の側辺２１ａ，２１ｂとのなす角度θａ，θｂは、それぞれ７５度〜１０５度である。このように、接続部外側辺１２ａとグリップ２の側辺２１ａとにより凹入部３ａが形成され、接続部外側辺１２ｂとグリップ２の側辺２１ｂとにより凹入部３ｂが形成される。
【００１６】
本考案の第１実施形態による卓球ラケットは、円弧凸部を有する従来の卓球ラケットと異なり、凹入部３ａ，３ｂが、ブレード１に向かって凹入された形状に形成されている。これにより、ユーザが卓球ラケットを握る際、凹入部３ａ，３ｂがブレード１に向かって凹入されているため、グリップ２を握ったときのユーザの手の位置がブレード１に近くなり、卓球ラケットの中心点（重心点）により近い位置で卓球ラケットを握ることができる。このように、慣性モーメントを小さくすることにより、卓球ラケットのフォア面とバック面とを切り替えたり卓球ラケットを振ったりする際、ユーザは、大きな力を加えなくとも簡単かつ自在に卓球ラケットを動かすことができる。また、卓球ラケットの角度を調整する時間を短縮することにより、ユーザは、素早く打球することができる上、ブレード１の面を切り替えさなくても、フォア又はバックで単面を用いて球を打つことができる。さらに、握る位置を変える（例えば、卓球ラケットの面を横向きにして握る）とき、手の指（主に中指）がブレード１に接触する面積が大きくなり、卓球ラケットを安定的に握ることができるため、ユーザが打球するときに卓球ラケットを握る手の位置がずれないように保持することができる。
【００１７】
さらに、手で握る位置を卓球ラケットの中心点へさらに近づけるために、ブレード１には、ブレード１に向かって窪んだ窪み部１３а，１３ｂを接続部外側辺１２ａ，１２ｂに設けてもよい。好ましくは、卓球ラケットを握る位置、手の大きさ及び形状に合わせて窪み部１３а，１３ｂの窪み具合（深さ）を変え、各ユーザの必要に応じて好ましい形状に変えてもよい。
【００１８】
また、快適かつ安定的に卓球ラケットを握るために、接続部外側辺１２ａの上端部及び下端部には、それぞれ弧状面１２１ａが円弧状に延設され、接続部外側辺１２ｂの上端部及び下端部には、それぞれ弧状面１２１ｂが円弧状に延設されている。さらに、グリップ２内側辺の上下表面２０а，２０ｂには、ブレード１の表面に向かって延設された弧状当接部２２ａ，２２ｂがそれぞれ設けられている。本実施形態にかかる卓球ラケットの構造は、弧状面及び弧状当接部により、人間工学的に適するため、ラケットを快適に強く握ることができる。
【００１９】
（第２実施形態）
図５を参照する。図５に示すように、本考案の第２実施形態は、第１実施形態と同様の要素に同様の符号が付けられている。本考案の第２実施形態による卓球ラケットは、第１実施形態と異なり、接続部１１の両側に設けられた接続部外側辺１２а，１２ｂは、直線状に延伸され、凹入部３а，３ｂを構成する接続部外側辺１２ａ，１２ｂとグリップ２の側辺２１ａ，２１ｂとは、互いに垂直に設けられている。
【００２０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１  ブレード
２  グリップ
３ａ  凹入部
３ｂ  凹入部
１１  接続部
１２ａ  接続部外側辺
１２ｂ  接続部外側辺
１３а  窪み部
１３ｂ  窪み部
２０ａ  表面
２０ｂ  表面
２１ａ  側辺
２１ｂ  側辺
２２ａ  弧状当接部
２２ｂ  弧状当接部
１２１ａ  弧状面
１２１ｂ  弧状面
Ａ  ブレード
Ａ１  円弧凸部
Ｂ  グリップ
【図１】
0003168017.tif 000003
【図２】
0003168017.tif 000004
【図３】
0003168017.tif 000005
【図４】
0003168017.tif 000006
【図５】
0003168017.tif 000007